(57)【要約】【課題】遮光型のサンバイザであっても、前方視界を妨げることないようにカード類を収容する機構を設けた。【解決手段】サンバイザ本体１の中央部に開口部１ｃを設け、開口部１ｃに枠体２を嵌着し、枠体２に遮光板４を設け、枠体２に遮光板４側に延在する小片延在部７を一体に形成し、小片延在部７の先端側と遮光板４との間にカード類１１の差込口８を開口すると共に、遮光板４側に突起４ｃを突設し、差込口８から差込んだカード類１０の一端側を突起４ｃに添設させ、遮光板４に対してカード類１０の一端側を離間した。また、小片延在部７内面に、遮光板４側に延出する弾性変形可能なフック１１を設けて、カード類１０の他端側をフック１１及び遮光板４との間で挟着保持できるように構成した。【選択図】　図３
2004067065.tif 000002
【特許請求の範囲】
【請求項１】
サンバイザ本体の中央部に開口部を設け、該開口部に枠体を嵌着し、該枠体にパンチングプレートを有する遮光板を設けた車両用サンバイザにおいて、
前記枠体に前記遮光板側に延在する小片延在部を一体に形成し、該小片延在部の先端側と遮光板との間にカード類差込口を開口すると共に、前記遮光板側に突起を突設して、
該突起に前記カード類の一端側を添設させることによって、前記遮光板に対して前記カード類の一端側を離間した状態で前記小片延在部と遮光板との間で前記カード類差込口から挿入されたカード類の他端側を挟着保持できるように構成したことを特徴とする車両用サンバイザ。
【請求項２】
前記小片延在部の内面に、前記遮光板側に延出する弾性変形可能なフックを設けて、前記カード類差込口から差込んだカード類の他端側を前記フック及び前記遮光板との間で挟着保持できるように構成したことを特徴とする請求項１記載の車両用サンバイザ。
【発明の詳細な説明】
【０００１】
【発明の属する技術分野】
本発明は、サンバイザ本体の中央部に開口部を設け、開口部に枠体を嵌着し、枠体にパンチングプレート及び減光プレートを互いに前後に重合されて構成する遮光板を設けた車両用サンバイザの改良に関する。
【０００２】
【従来の技術】
従来この種の車両用サンバイザとしては、例えば図５乃至図６に示されたものが知られている。
【０００３】
これによれば、サンバイザ本体ａは、芯材ｂの表面を表皮ｃで被覆することにより構成され、その中央部には開口部ｄが形成されている。開口部ｄには、枠体ｅが前後方向より嵌着されている。
【０００４】
枠体ｅには、パンチングプレートｆ及び減光板ｇを重合して形成した遮光板ｈが嵌合されている。
【０００５】
そして、パンチングプレートｆは、例えば金属板に前後面に対して直角に貫通する多数の透孔ｉを所定の配列で打抜き形成したもので、斜め上方から入光する光（太陽光等）を遮光できるように、板厚や透孔ｉの口径或いはピッチが設定されているとともに、表面で光が反射するため、全体が黒色に塗装されている。
【０００６】
一方、減光板ｈはパンチングプレートの透孔ｉを通過する光を減光するようになっている。
【０００７】
そして、太陽光などが斜め上方から入射するときには、サンバイザ本体ａをほぼ垂直となるように使用位置を定めることによって、太陽光などがパンチングプレートｆの透孔ｉを通過することがないために、斜め上方からの光を効果的に遮光することができるとともに、前方視界は、減光プレートｇ及びパンチングプレートｆの透孔ｉを通して確保できるため、サンバイザ本体ａの使用位置においても、運転者の前方視界を妨げることがない。
【０００８】
【発明が解決しようとする課題】
しかして、この種のサンバイザでは、サンバイザ本体ａの使用位置において、斜め上方からの光を遮光するとともに前方視界を透孔ｉを通して確保しようとしているために、一般のサンバイザに設置されているカード類を収容するポケットのように、別片をサンバイザ本体ａに張設して構成したのでは、遮光板ｈの相当部分を占有してしまい、前方視界の妨げとなって遮光板ｈが本来の機能を充分果し得なくなってしまうことから、カード類の収容ポケットを設けておらず、不便であった。
【０００９】
本発明は、かかる点に鑑み、遮光型のサンバイザであっても、前方視界を妨げることないようにカード類を収容する機構を設けた車両用サンバイザを提供することを目的としている。
【００１０】
【課題を解決するための手段】
上記目的を達成するために、本発明は、サンバイザ本体の中央部に開口部を設け、開口部に枠体を嵌着し、枠体にパンチングプレートを有する遮光板を設け、枠体に遮光板側に延在する小片延在部を一体に形成し、小片延在部の先端側と遮光板との間にカード類差込口を開口すると共に、遮光板側に突起を突設して、突起にカード類の一端側を添設させることによって、遮光板に対してカード類の一端側を離間した状態で小片延在部と遮光板との間でカード類差込口から挿入されたカード類の他端側を挟着保持できるように構成したことを特徴とするものである。
【００１１】
本発明によれば、カード類を突起と小片延在部との間で挟着することにより、カード類の一端側が突起によって遮光板から離間した状態でサンバイザ本体に保持できることから、カード類の取出しが便利であると共に、小片延在部が遮光板側に若干張り出してサンバイザ本体全体の視界範囲を少し妨げることになるが、小片延在部を例えば枠体の角隅部に設けることによって前方視界にそれほど影響を及ぼすことがなく、しかも小片延在部によりカード類がしっかりと保持されることになる。さらには、サンバイザ本体にカード類を保持した状態でも、サンバイザ本体の全体面積に対するカード類の占める割合が少ないために、あまり前方視界の妨げにはならない。
【００１２】
また、本発明は、前記小片延在部の内面に、遮光板側に延出する弾性変形可能なフックを設けて、カード類差込口から差込んだカード類の他端側をフック及び遮光板との間で挟着保持できるように構成したことにより、フックによってますますカード類をしっかり保持できると共に、フックを小片延在部の内面に設けた結果、サンバイザ本体の前方視界の妨げにはならないことになる。
【００１３】
【発明の実施の形態】
以下、本発明における実施の形態について、図を用いて説明する。
【００１４】
先ず、図１乃至図３を用いて、本発明における第１の実施の形態を採用した車両用サンバイザを説明する。
【００１５】
図１は本発明の第１の実施の形態によるサンバイザを採用した自動車前部を車室内から描画した斜視図、図２は同じくサンバイザの正面図、図３は図２のＡ−Ａ断面図である。
【００１６】
図において、サンバイザ本体１は、略長方形状に形成された芯材１ａの表面を表皮１ｂで被覆することにより構成されており、サンバイザ本体１の中央部には、略長方形状の開口部１ｃが形成され、開口部１ｃには樹脂などで成形された枠体２が前後方向より嵌合している。
【００１７】
サンバイザ本体１の長手方向一端部側には、取付け杆３の一端が貫通設置されており、取付け杆３を中心にサンバイザ本体１が回動できるようになっていると共に、取付け杆３の他端側には、サンバイザ本体１を車体５のルーフ付近に取付けるための取付け具３ａが設けられている。
【００１８】
また、サンバイザ本体１の開口部１ｃに嵌着された枠体２間に、パンチングプレート４ａ及び減光プレート４ｂが前後に重合して構成された遮光板４が挟入された状態で設けている。
【００１９】
パンチングプレート４ａは、例えば金属板に前後面に対して直角に貫通する多数の透孔４ｃを所定の配列で打抜き形成したもので、斜め上方から入光する光を遮光できるように、金属板の板厚や透孔４ｃの口径及びピッチが設定されていると共に、表面で光が反射するのを防止するために、全体が黒色に塗装されている。
【００２０】
減光プレート４ｂは、スモークと称する着色された合成樹脂板よりなり、パンチングメタル４ａとほぼ同じ大きさに形成されており、パンチングプレート４ａの一方の面に密着するように枠体２間に挟入されていて、パンチングプレート４の透孔４ｃを通過する光を減光するようになっている。
【００２１】
したがって、減光板４ｂの減光率（光の透過率）は、パンチングプレート４ａの透孔４ｃを通過した光が運転者などの目に入った場合でも眩しくなく、また前方視界が損なわれない値に設定されている。
【００２２】
略長方形状の枠体２の４つの角隅部のうち、図１に示すサンバイザ本体１の格納位置における右側下端部の角隅部６には、略矩形状の小片延在部７が一体に延設されている。
【００２３】
小片延在部７の内面には、遮光板４のパンチングプレート４ａ側に延出する弾性変形可能のフックが設けられていると共に、小片延在部７の先端部が若干遮光板４側に折曲された状態で、遮光板４に対して離間して、カード類１０の差込口８を形成している。
【００２４】
遮光板４のパンチングプレート４ａの略中央部には、突起９が一体的に突設されている。
【００２５】
さらに、小片延在部７の内面には、パンチングプレート４ａ側に延出する弾性変形可能なフック１１を設けて、差込口８から差込んだカード類１０の他端側をフック１１及びパンチングプレート４ａとの間で挟着保持できるように構成している。
【００２６】
上記のように構成した場合、図３に示すように、カード類１０を差込口８から差込んで、突起９と小片延在部７との間で挟着することにより、カード類１０の一端側が突起９によって遮光板４のパンチングプレート４ａから離間した状態でサンバイザ本体１に保持できることから、カード類１０の取出しが便利であると共に、小片延在部７がパンチングプレート４ａ側に若干張り出してサンバイザ本体１全体の視界範囲を少し妨げることになるが、枠体２の４つの角隅部のうちサンバイザ本体１の格納位置における右側下端部の角隅部６に設けられていることにから前方視界にそれほど影響を及ぼすことがない。
【００２７】
また、サンバイザ本体１にカード類１０を保持した状態でも、サンバイザ本体１の全体面積に対するカード類１０の占める割合が少ないために、あまり前方視界の妨げにはならず、しかも、小片延在部７によりカード類１０がしっかりと保持されることになる。
【００２８】
さらに、小片延在部７の内面にはパンチングプレート４ａ側に延出する弾性変形可能なフック１１が設けられていることから、差込口８から差込んだカード類１０の他端側をフック１１及びパンチングプレート４ａとの間で挟着保持していることから、フック１１によってますますカード類１０をしっかり保持できると共に、フック１１は小片延在部７の内面に設けた結果、外側に表出することがなく、サンバイザ本体１０の前方視界の妨げにはならないことになる。
【００２９】
図４は本発明における第２の実施の形態を示すものである。
【００３０】
図４によれば、第２の実施の形態において、突起９をサンバイザ本体１の長手方向に延在するようにビード状に形成した点が第１の実施の形態と相違するものである。
【００３１】
【発明の効果】
以上説明したように、本発明は、カード類を突起と小片延在部との間で挟着することにより、カード類の一端側が突起によって遮光板から離間した状態でサンバイザ本体に保持できることになって、カード類の取出しが便利であると共に、小片延在部が遮光板側に若干張り出してサンバイザ本体全体の視界範囲を少し妨げることになるが、例えば枠体の角隅部に小片延在部を設けることによって前方視界にそれほど影響を及ぼすことがなく、しかも小片延在部によりカード類がしっかりと保持されることになる。さらには、サンバイザ本体にカード類を保持した状態でも、サンバイザ本体の全体面積に対するカード類の占める割合が少ないために、あまり前方視界の妨げにはならない。
【図面の簡単な説明】
【図１】本発明の第１の実施の形態によるサンバイザを採用した自動車前部を車室内から描画した斜視図である。
【図２】同じくサンバイザの正面図である。
【図３】図２のＡ−Ａ断面図である。
【図４】本発明に係る第２の実施の形態を示す車両用サンバイザの正面図である。
【図５】従来における車両用サンバイザの一面側から描画した正面図である。。
【図６】同じく、他面側から描画した正面図である。
【図７】図５のＢ−Ｂ断面図である。
【符号の説明】
１　サンバイザ本体
１ｃ　開口部
２　枠体
４　遮光板
４ｃ　透孔
７　小片延在部
８　差込口
９　突起
１０　カード類
１１　フック
【図１】
2004067065.tif 000003
【図２】
2004067065.tif 000004
【図３】
2004067065.tif 000005
【図４】
2004067065.tif 000006
【図５】
2004067065.tif 000007
【図６】
2004067065.tif 000008
【図７】
2004067065.tif 000009